(57)【要約】【課題】商品収納装置内を効率的に冷却又は加熱可能な自動販売機を提供する。【解決手段】自動販売機１００は、商品収納庫１ａ、サーペンタイン方式の商品収納装置４、庫内温調装置１０及び背面ダクト６を含み、冷気又は暖気を商品収納装置４の内部及び背面ダクト６を経由して循環させる。商品収納装置４内の商品収納コラム４ａ〜４ｆにおける各商品通路Ｒは、一対の通路形成体７，７により区画される。背面ダクト６のダクト壁６ａは、前後方向の最後部の商品収納コラム４ｆにおける一対の通路形成体７，７のうちの後側通路形成体７Ｂに近接又は当接するように配置される。背面ダクト６の上部開口部６ａ２はダクト壁６ａに開口される。背面ダクト６のダクト上部は上部壁６ｂにより閉塞され、この上部壁６ｂは、後側通路形成体７Ｂにおけるダクト壁６ａ側に突出した複数の凸部７ｂのうちのいずれか一つに対応した高さ位置に位置する。【選択図】図３
2018206156.tif 000002
【特許請求の範囲】
【請求項１】
断熱構造の断熱庫と、
前記断熱庫内に設けられ、前記断熱庫の前後方向に蛇行しつつ上下方向に延びる商品通路内に積み重ねられて収容された商品を最下位の商品から順に落下させて搬出する複数の商品収納コラムを有する商品収納装置と、
前記断熱庫内における前記商品収納装置より下方に設けられ、空気を冷却又は加熱して送風することにより前記断熱庫内の温度を調整するための庫内温調装置と、
前記断熱庫の後壁と前記商品収納装置との間に設けられるダクトであって、前記後壁に対向して上下方向に延びるダクト壁、前記ダクト壁における前記庫内温調装置に対応した高さ位置に開口される下部開口部、及び、前記下部開口部より上方の高さ位置に開口される上部開口部を有するダクトと、
を含み、前記庫内温調装置により送風した冷気又は暖気を前記商品収納装置の内部及び前記ダクトを経由して循環させることにより、前記商品収納装置内の所定領域の商品を冷却又は加熱する、自動販売機において、
前記複数の商品収納コラムにおける各商品通路は、互いに前記前後方向に離間して対向すると共に複数の通気孔が開口された一対の通路形成体により区画され、
前記ダクト壁は、前記前後方向の最後部の前記商品収納コラムにおける前記一対の通路形成体のうちの後側通路形成体に近接又は当接するように配置され、
前記上部開口部は、前記ダクト壁に開口され、
前記ダクトは、前記ダクト壁の上端に接続されてダクト上部を閉塞する上部壁であって、前記後側通路形成体における前記ダクト壁側に突出した複数の凸部のうちのいずれか一つに対応した高さ位置に位置する上部壁を有する、自動販売機。
【請求項２】
前記一対の通路形成体は、それぞれ、前記複数の凸部を有し前記前後方向に蛇行する蛇行通路形成体と、前記蛇行通路形成体の下端に連続して上下方向に延び前記通路形成体の下端部を構成する所定長の下端通路形成体と、を含み、
前記上部開口部の開口縁下端は、前記後側通路形成体における前記下端通路形成体の上端に対応した高さ位置に位置している、請求項１に記載の自動販売機。
【請求項３】
前記所定領域は、前記商品収納装置の下部側に設定され、
前記所定領域の上端の高さ位置は、前記上部開口部の開口縁上端の高さ位置により規定されている、請求項１又は２に記載の自動販売機。
【請求項４】
前記ダクト壁の前記上部開口部の開度を調整する開度調整部をさらに含む、請求項１〜３のいずれか一つに記載の自動販売機。
【請求項５】
前記蛇行通路形成体は、それぞれ円弧状に形成された複数のシュート板が上下方向に配列されることにより、前記前後方向に蛇行しつつ上下方向に延び、
前記上部開口部は、少なくとも前記後側通路形成体における上下に隣接するシュート板の間の隙間に対応した部位に対向するように開口されている、請求項１〜４のいずれか一つに記載の自動販売機。
【発明の詳細な説明】
【技術分野】
【０００１】
本発明は、商品を冷却又は加熱して販売する自動販売機に関する。
【背景技術】
【０００２】
この種の自動販売機の一例が特許文献１に記載されている。特許文献１に記載の自動販売機は、断熱構造の商品収納庫（以下では、断熱庫という）と、断熱庫内に設けられ、蛇行した商品収納通路内に上下に積み上げて収納した商品を最下位から順に搬出するいわゆるサーペンタイン方式の商品収納ラック（以下では、商品収納装置という）と、断熱庫内の下部に設けられる蒸発器、ヒータ及び送風ファンを有する装置（以下では、庫内温調装置という）と、断熱庫の背面側で上下方向に延びる背面ダクトと、を備えている。この自動販売機では、庫内温調装置から送風された冷気又は暖気を断熱庫内の商品の間を通過させ、その後、背面ダクトを経由して庫内温調装置に循環させることにより、断熱庫内の商品を冷却又は加熱している。
【０００３】
ここで、この自動販売機では、背面ダクトの長さを比較的に短くして背面ダクトの上端の位置を商品収納装置の高さ方向の比較的に低い位置に留めているため、背面ダクトにはダクト上部の開口を介して商品収納装置内の下部領域の空気が主に吸込まれることになる。かかる自動販売機によれば、商品収納装置内の下部領域を集中的に冷却又は加熱することができ、商品収納装置内の上部領域に並ぶ販売順の遅い商品の冷却又は加熱に費やす電力の消費が抑制され得る。
【先行技術文献】
【特許文献】
【０００４】
【特許文献１】特開２０１３−１０５４６２号公報
【発明の概要】
【発明が解決しようとする課題】
【０００５】
しかしながら、前記従来の自動販売機では、背面ダクトのダクト上部の開口が上方に向けて開口しているため、この開口を介して商品収納装置内の冷却又は加熱の不要な上部領域の空気の一部を吸込む可能性がある。その結果、庫内温調装置から送風された空気の一部が冷却又は加熱の不要な領域を通過する空気流れが生じてしまい、その分だけ、余分な電力が消費され得る。つまり、商品収納装置内の所定領域を効率的に冷却又は加熱するためには、背面ダクトの長さ（高さ）の調整のみでは不十分であり、その工夫が求められている。
【０００６】
そこで、本発明は、サーペンタイン方式の商品収納装置内の所定領域を効率的に冷却又は加熱することが可能な自動販売機を提供することを目的とする。
【課題を解決するための手段】
【０００７】
本発明の一側面によると、断熱構造の断熱庫と、前記断熱庫内に設けられる商品収納装置と、前記断熱庫内における前記商品収納装置より下方に設けられる庫内温調装置と、前記断熱庫の後壁と前記商品収納装置との間に設けられるダクトと、を含む、自動販売機が提供される。前記商品収納装置は、前記断熱庫の前後方向に蛇行しつつ上下方向に延びる商品通路内に積み重ねられて収容された商品を最下位の商品から順に落下させて搬出する複数の商品収納コラムを有する。前記庫内温調装置は、空気を冷却又は加熱して送風することにより前記断熱庫内の温度を調整するための装置である。前記ダクトは、前記後壁に対向して上下方向に延びるダクト壁、前記ダクト壁における前記庫内温調装置に対応した高さ位置に開口される下部開口部、及び、前記下部開口部より上方の高さ位置に開口される上部開口部を有する。前記自動販売機は、前記庫内温調装置により送風した冷気又は暖気を前記商品収納装置の内部及び前記ダクトを経由して循環させることにより、前記商品収納装置内の所定領域の商品を冷却又は加熱する。前記複数の商品収納コラムにおける各商品通路は、互いに前記前後方向に離間して対向すると共に複数の通気孔が開口された一対の通路形成体により区画される。前記ダクト壁は、前記前後方向の最後部の前記商品収納コラムにおける前記一対の通路形成体のうちの後側通路形成体に近接又は当接するように配置される。前記上部開口部は、前記ダクト壁に開口される。前記ダクトは、前記ダクト壁の上端に接続されてダクト上部を閉塞する上部壁であって、前記後側通路形成体における前記ダクト壁側に突出した複数の凸部のうちのいずれか一つに対応した高さ位置に位置する上部壁を有する。
【発明の効果】
【０００８】
前記一側面による自動販売機では、ダクトのダクト上部は上部壁により閉塞されているため、ダクトの上方の領域の空気のダクト内への吸込みを抑制することができる。そして、ダクト上部を閉塞した替りに上部開口部を断熱庫の後壁に対向して上下方向に延びるダクト壁に開口させつつ、ダクト壁を最後部の商品収納コラムにおける蛇行する商品通路を形成する一対の通路形成体のうちの後側通路形成体に近接又は当接させ、且つ、上部壁を後側通路形成体の複数の凸部のうちのいずれか一つに対応した高さ位置に位置させている。このため、ダクト壁における上部開口部より上方の部位と後側通路形成体との間の領域の上部が後側通路形成体の凸部により略閉塞又は閉塞されて、ダクトの上方の領域の空気のダクト内への吸込みをさらに抑制又は防止することができる。したがって、上部開口部の開口の高さ位置に応じた商品収納装置内の所定領域を冷却又は加熱する際に、前記所定領域より上方の空気がダクト内へ吸込まれることを確実に抑制又は防止することができる。そして、庫内温調装置から送風された空気の一部が冷却又は加熱の不要な領域を通過する空気流れの発生を抑制又は防止することができる。その結果、前記従来の自動販売機と比較すると余分な電力が消費されることを抑制でき、又は、余分な電力が消費されることを防止することができる。
【０００９】
このようにして、サーペンタイン方式の商品収納装置内の所定領域を効率的に冷却又は加熱することが可能な自動販売機を提供することができる。
【図面の簡単な説明】
【００１０】
【図１】本発明の一実施形態における自動販売機を示す斜視図である。
【図２】前記自動販売機の側断面図である。
【図３】前記自動販売機の要部拡大断面図である。
【図４】前記自動販売機の背面ダクトの上部開口部の正面図である。
【図５】前記自動販売機の一対の通路形成体を説明するための概念図である。
【図６】図３に示すＡ部の拡大図である。
【図７】図６に示す矢印Ｂ方向から視た部分拡大図である。
【図８】前記自動販売機の変形例を説明するための要部拡大断面図である。
【図９】前記自動販売機の別の変形例を説明するための部分拡大図である。
【発明を実施するための形態】
【００１１】
以下、添付図面を参照して本発明の実施形態について説明する。
図１は、本発明の一実施形態における自動販売機の外観図を示す。図２は自動販売機の側断面図を示し、図３は自動販売機の要部拡大断面図を示す。なお、図３では、図の明瞭化のため商品としての容器入り飲料Ｄは図示省略されている。また、以下では、自動販売機について、前後・左右・上下を、図１に示すように便宜上規定して、説明する。
【００１２】
本実施形態による自動販売機１００は、図１及び図２に示すように、商品として容器入り飲料（ここではペットボトルに入った飲料）Ｄを冷却又は加熱して販売可能に構成され、前面を開口した自動販売機本体１と、自動販売機本体１の前面を開閉する外扉２と、後述する商品収納庫１ａの前面を開閉する内扉３とを備えて構成される。
【００１３】
前記自動販売機本体１は、容器入り飲料Ｄを収納するための商品収納庫１ａと、各種機器を収容する機械室１ｂとに区分されている。機械室１ｂは商品収納庫１ａの下方に位置する。自動販売機本体１は、前面が開口され、断熱構造の商品収納庫１ａを有して形成されている。なお、本実施形態において、この商品収納庫１ａが本発明に係る「断熱庫」に相当する。
【００１４】
前記商品収納庫１ａは、前面が開口され、それぞれ断熱壁からなる後壁１ｃ、上壁１ｄ、底壁１ｅ、左側壁１ｆ及び右側壁１ｇによって囲まれた断熱構造を有して形成されている。この商品収納庫１ａ内には、前後方向に複数（図では六個）の商品収納コラム４ａ〜４ｆを有した商品収納装置４が配設されている。商品収納装置４の下方には、商品シュータ５が設けられている。また、図２に示すように、商品収納庫１ａの下部には、容器入り飲料Ｄを冷却又は加熱するための後述する温調装置３０の庫内温調装置１０等が設けられている。そして、商品収納庫１ａ内の背面側には背面ダクト６が設けられている。なお、商品収納装置４、商品シュータ５、背面ダクト６及び温調装置３０については、後に詳述する。
【００１５】
前記外扉２は、自動販売機本体１の前面を開閉する扉であり、前面に商品サンプル室２ａ、商品選択ボタン２ｂ、硬貨投入口２ｃ、紙幣挿入口２ｄ、硬貨返却口２ｅ、及び商品取出口２ｆ等を備え、その幅方向一端側が取付板２ｇを介して自動販売機本体１に回動自在に支持されている。
【００１６】
前記内扉３は、自動販売機本体１内の商品収納庫１ａの前面を開閉する扉であり、断熱材を内部に備えて形成された扉である。この断熱性の内扉３の下部には、商品収納庫１ａと商品取出口２ｆとを連通する商品搬出口３ａが開口されている。商品選択ボタン２ｂの押下等による販売操作が行われると、商品選択ボタン２ｂに対応する容器入り飲料Ｄを収容しているいずれかの商品収納コラム４ａ〜４ｆの最下位から容器入り飲料Ｄが、下方に落下する。その後、容器入り飲料Ｄは、商品シュータ５の斜面に沿って転動し、商品搬出口３ａに取付けられた内扉側フラップを押し開いて、商品取出口２ｆ内に払出されるように構成されている。
【００１７】
前記商品収納装置４は、商品収納庫１ａ内に設けられ、いわゆるサーペンタイン方式の装置であり、複数の商品収納コラム４ａ〜４ｆを前後方向に隣接させて有している。各商品収納コラム４ａ〜４ｆは、商品収納庫１ａの前後方向に蛇行しつつ上下方向に延びる商品通路Ｒ内に積み重ねられて収容された容器入り飲料Ｄを最下位の容器入り飲料Ｄから順に落下させて搬出可能に構成されている。また、商品収納装置４は、幅方向（左右方向）両端部に側板を有している。以下では、左側の前記側板を左側板４１（図２及び図３参照）といい、右側の前記側板を右側板４２（後述する図７参照）という。左側板４１と右側板４２との間に商品収納コラム４ａ〜４ｆが配置されている。商品収納装置４は、上端側の商品投入口から投入された容器入り飲料Ｄを、商品収納装置４の下端側に設けられた商品搬出装置８によって、最下位の容器入り飲料Ｄから順に一個ずつ商品シュータ５側に落下搬出する。商品搬出装置８は、商品通路Ｒの下端を開閉可能なゲートレバーを有し、このゲートレバーによって商品通路Ｒの下端を開放することにより容器入り飲料Ｄを一個ずつ下方に落下搬出するように構成されている。なお、商品収納装置４の動作は図示省略した制御部により制御される。
【００１８】
複数の商品収納コラム４ａ〜４ｆにおける各商品通路Ｒは、図３に示すように、互いに商品収納庫１ａの前後方向に離間して対向すると共に複数の通気孔７ａが開口された一対の通路形成体７，７により区画されている。つまり、一対の通路形成体７，７のうちの前側に位置する前側通路形成体７Ｆと、一対の通路形成体７，７のうちの後側に位置する後側通路形成体７Ｂとが互いに対向し、前側通路形成体７Ｆと後側通路形成体７Ｂとの間に商品通路Ｒが形成されている。本実施形態では、商品収納装置４は、六列の前側通路形成体７Ｆと六列の後側通路形成体７Ｂとを合わせて十二列の通路形成体７を有している。各商品収納コラム４ａ〜４ｆは、二つの商品収納コラムが一組になって配設されている。詳しくは、前側から、商品収納コラム４ａ及び商品収納コラム４ｂ（以下では、第１コラム組４ａ，４ｂという）、商品収納コラム４ｃ及び商品収納コラム４ｄ（以下では、第２コラム組４ｃ，４ｄという）、商品収納コラム４ｅ及び商品収納コラム４ｆ（以下では、第３コラム組４ｅ，４ｆという）が、それぞれ互いに組になっている。第２コラム組４ｃ，４ｄの下端は、第１コラム組４ａ，４ｂの下端と第３コラム組４ｅ，４ｆの下端の間の高さ位置に位置している。なお、一対の通路形成体７，７については後にさらに詳述する。
【００１９】
前記商品シュータ５は、商品収納装置４の下方に設けられ、多数の通気孔を有する平板状の部材であり、自動販売機１００の前面側に向って下降するように前下がりに傾斜して配設されている。
【００２０】
前記背面ダクト６は、商品収納庫１ａの後壁１ｃと商品収納装置４との間に設けられ、商品収納庫１ａの高さ方向に延びている。背面ダクト６には、温調装置３０の後述する庫内送風ファン１１により送風されて商品収納庫１ａ内を流通した空気が流通する。なお、本実施形態において、この背面ダクト６が本発明に係る「ダクト」に相当する。
【００２１】
背面ダクト６は、具体的には、商品収納庫１ａの後壁１ｃに対向して上下方向に延びるダクト壁６ａと、ダクト壁６ａの上端に接続されてダクト上部を閉塞する上部壁６ｂと、ダクト壁６ａにおける温調装置３０の後述する庫内温調装置１０に対応した高さ位置に開口される下部開口部６ａ１、及び、ダクト壁６ａにおける下部開口部６ａ１より上方の高さ位置に開口される上部開口部６ａ２と、を有する。
【００２２】
ダクト壁６ａは、例えば、底壁１ｅから上壁１ｄに向かって上下方向に直線的に延びている。上部壁６ｂは、商品収納庫１ａの後壁１ｃと最後部の商品収納コラム４ｆの後側通路形成体７Ｂとの間における所定高さ位置に位置している。
【００２３】
本実施形態では、背面ダクト６における上部開口部６ａ２の部分を前方から視た上部開口部６ａ２の正面図である図４に示すように、上部開口部６ａ２は、平面視で矩形状に大きく開口された一つの開口からなる。また、下部開口部６ａ１は、図示省略するが、例えば、上部開口部６ａ２と同様に矩形状に開口されている。
【００２４】
また、背面ダクト６は、例えば、正面視（前側又は後側から視て）で矩形状の平板を板金加工等により左右方向両側部及び上端部を折り曲げ加工して形成される。このように形成された背面ダクト６は商品収納庫１ａの後壁１ｃに適宜に取付けられ、これにより、背面ダクト６と商品収納庫１ａの後壁１ｃとで囲まれる空気の流通路が形成される。なお、図２、図３及び後述する図８においては、図の明瞭化のため、ダクト壁６ａ及び上部壁６ｂの壁厚は、通路形成体７の厚みよりも厚く示されているが、実際には、例えば、通路形成体７の厚みと同程度である。また、ダクト壁６ａ及び上部壁６ｂの配置位置、上部開口部６ａ２の開口位置については後に詳述する。
【００２５】
前記温調装置３０は、複数の容器入り飲料Ｄを冷却又は加熱するものであり、例えば、庫内温調装置１０と庫外温調装置２０とを有し、商品収納庫１ａ内の空気を冷却又は加熱すると共に背面ダクト６を介して循環させることによって複数の容器入り飲料Ｄを冷却又は加熱可能に構成されている。本実施形態では、温調装置３０は、例えば、運転モードを冷却運転モードと加熱運転モードとに選択的に切替えて運転可能に構成されている。庫内温調装置１０の後述する庫内熱交換器（蒸発器）１２と庫外温調装置２０とは、冷媒配管Ｐを介して接続され、冷媒を循環させることによって商品収納庫１ａ内を冷却可能な冷凍装置を構成している。なお、温調装置３０の動作は図示省略した制御部により制御される。
【００２６】
前記庫内温調装置１０は、商品収納庫１ａ内における商品収納装置４より下方、具体的には、商品シュータ５の下方に設けられ、空気を冷却又は加熱して送風することにより商品収納庫１ａ内の温度を調整するための装置である。つまり、庫内温調装置１０は、冷却運転モードの際には冷気を送風し、加熱運転モードの際には暖気を送風可能に構成されている。
【００２７】
庫内温調装置１０は、具体的には、庫内送風ファン１１、庫内熱交換器（蒸発器）１２、及び、ヒータ１３を有する。また、庫内温調装置１０は、例えば、背面ダクト６の下部開口部６ａ１に連通する連通口１４ａと、商品シュータ５と商品収納庫１ａの底壁１ｅとの間の領域に連通する空気吐出口１４ｂとを有するケーシング１４内に設けられている。このケーシング１４の空気吐出口１４ｂの前方には斜め上方の空気流れを生じさせるガイド部１４ｃが設けられている。また、庫内送風ファン１１は、例えば、背面ダクト６の下部開口部６ａ１の近傍（ケーシング１４の連通口１４ａ側）に配設され、商品収納庫１ａ内の空気を循環させるものであり、下部開口部６ａ１から吸込んだ空気を庫内熱交換器１２に向けて送風させる。庫内熱交換器１２は、冷媒を蒸発させ周囲空気を冷却するものであり、例えば、庫内送風ファン１１の近傍に配設されている。ヒータ１３は、通電されることにより加熱される電気ヒータからなり、周囲空気を加熱するものであり、例えば、ケーシング１４の空気吐出口１４ｂ側に配置されている。なお、本実施形態では、庫内送風ファン１１が背面ダクト６の下部開口部６ａ１と庫内熱交換器１２との間に配置されているが、背面ダクト６の下部開口部６ａ１と庫内送風ファン１１との間に庫内熱交換器１２が配置されてもよい。また、ヒータ１３のケーシング１４内における配置位置についても、ケーシング１４の空気吐出口１４ｂ側に限らず、適宜位置に設定することができる。
【００２８】
前記庫外温調装置２０は、機械室１ｂ内に設けられており、冷媒を圧縮する圧縮機２１と、圧縮された冷媒を凝縮する庫外熱交換器（凝縮器）２２と、凝縮された冷媒を膨張させる膨張機構２３とを有し、前記冷凍装置のコンデンシングユニットを構成する。庫内熱交換器１２、圧縮機２１、庫外熱交換器２２、及び膨張機構２３は、冷媒を循環させる冷媒配管Ｐによって接続され、庫外熱交換器２２の近傍には、庫外送風ファン２４が配設されている。
【００２９】
冷却運転モードの場合には、前記制御部からの指令に基づいて、庫内送風ファン１１が作動すると共に、圧縮機２１及び庫外送風ファン２４が作動する。つまり、温調装置３０は、庫内送風ファン１１によって商品収納庫１ａ内の空気を背面ダクト６を介して循環させると共に、前記冷媒を圧縮機２１、庫外熱交換器２２、膨張機構２３、及び庫内熱交換器１２に循環させる。商品収納庫１ａ内の空気は、庫内熱交換器１２の周囲を通過する際に前記冷媒と熱交換して冷却され、これにより、商品収納庫１ａ内、ひいては、各商品収納装置４内に収納された多数の容器入り飲料Ｄが冷却される。
【００３０】
加熱運転モードの場合には、前記制御部からの指令に基づいて、庫内送風ファン１１が作動すると共に、ヒータ１３が通電される。この場合、商品収納庫１ａ内の空気は、ヒータ１３の周囲を通過する際に加熱され、これにより、商品収納庫１ａ内に収納された多数の容器入り飲料Ｄが加熱される。
【００３１】
このように、庫内温調装置１０により送風した冷気又は暖気を商品収納装置４の内部及び背面ダクト６を経由して循環させることにより、商品収納装置４内の所定領域Ｅ（図２に二点鎖線で囲まれた領域）の容器入り飲料Ｄを冷却又は加熱する、自動販売機１００が構成されている。
【００３２】
本実施形態では、商品収納装置４内の所定領域Ｅは、図２及び図３に示すように、商品収納装置４の下部側に設定されている。つまり、本実施形態における自動販売機１００では、商品収納装置４内に収納された複数の容器入り飲料Ｄのうちの下部側の容器入り飲料Ｄを冷却又は加熱する下部集中冷却運転又は下部集中加熱運転を実行可能に構成されている。詳しくは、商品収納庫１ａ内の空気は、図２に太線矢印で示すように、上部開口部６ａ２から背面ダクト６内に流入し、背面ダクト６内を下向きに通過して下部開口部６ａ１から流出し、その後、ケーシング１４及び商品収納庫１ａ内を経由して、再び上部開口部６ａ２から背面ダクト６内に流入するように流れて商品収納庫１ａ内を循環する。この場合、下部開口部６ａ１から流出した空気は、庫内熱交換器１２によって冷却され、又は、ヒータ１３によって加熱され、その後、商品シュータ５の通気孔を経由し、商品収納装置４内に収納された容器入り飲料Ｄの間を下方から上方に向かって通過して再び上部開口部６ａ２に向かう。これにより、商品収納庫１ａ内の下部空間が、冷却又は加熱されると共に、各商品収納装置４内に収納された下部側の複数の容器入り飲料Ｄが冷却又は加熱される。
【００３３】
次に、ダクト壁６ａ及び上部壁６ｂの配置位置について、図３を参照して詳述する。
【００３４】
ダクト壁６ａは、複数の商品収納コラム４ａ〜４ｆのうちの商品収納庫１ａの前後方向の最後部の商品収納コラム４ｆにおける後側通路形成体７Ｂに当接するように配置されている。詳しくは、一対の通路形成体７，７は、全体として前後方向に蛇行しつつ上下方向に延びている。そして、上下方向に直線的に延びるダクト壁６ａの後側通路形成体７Ｂ側（前面側）の壁面が、最後部の商品収納コラム４ｆの後側通路形成体７Ｂにおけるダクト壁６ａ側に突出した凸部７ｂに当接している。本実施形態では、ダクト壁６ａは、後側通路形成体７Ｂに当接するものとして以下説明するが、これに限らず、後側通路形成体７Ｂに近接するように配置されてもよい。
【００３５】
上部壁６ｂは、最後部の商品収納コラム４ｆの後側通路形成体７Ｂにおけるダクト壁６ａ側に突出した複数の凸部７ｂのうちのいずれか一つに対応した高さ位置に位置している。具体的には、本実施形態では、底壁１ｅから上部壁６ｂの上面までの高さが、底壁１ｅから商品収納コラム４ｆの後側通路形成体７Ｂの下側の最初の凸部７ｂの頂点までの高さと略一致又は一致している。したがって、背面ダクト６は、そのダクト壁６ａが最後部の商品収納コラム４ｆの後側通路形成体７Ｂに当接するように配置され、且つ、ダクト上部におけるダクト壁６ａと上部壁６ｂとの交わる角部が商品収納コラム４ｆの後側通路形成体７Ｂの凸部７ｂに当接するところまで延びている。
【００３６】
次に、一対の通路形成体７，７について、図３、図５〜図７を参照して詳述する。図５は一対の通路形成体７，７を説明するための概念図である。図６は図３に示すＡ部（一点鎖線で囲まれる部分）の拡大図であり、図７は図６に示す矢印Ｂ方向（後方）から視た部分拡大図である。
【００３７】
本実施形態では、図３及び図５に示すように、一対の通路形成体７，７は、それぞれ、蛇行通路形成体７１と、下端通路形成体７２とを含む。つまり、各通路形成体７（前側通路形成体７Ｆ、後側通路形成体７Ｂ）は、それぞれ、蛇行通路形成体７１と、下端通路形成体７２とを含んで構成されている。
【００３８】
蛇行通路形成体７１は、複数の凸部７ｂを有し、全体として商品収納庫１ａの前後方向に蛇行している。前側通路形成体７Ｆの蛇行通路形成体７１と後側通路形成体７Ｂの蛇行通路形成体７１とが、前後方向に互いに対向するように配置されることにより、蛇行した商品通路Ｒが形成されている。
【００３９】
蛇行通路形成体７１は、具体的には、図３及び図６に示すように、それぞれ円弧状に形成された複数のシュート板７１ａが上下方向に配列されることにより、商品収納庫１ａの前後方向に蛇行しつつ上下方向に延びている。各シュート板７１ａは、薄板部材を円弧状に形成した部材からなり、図３及び図７に示すように、左側板４１と右側板４２との間に、それぞれ、シュート板７１ａの凹面を商品通路Ｒに向けて上下方向に配置されている。前側通路形成体７Ｆとして配置されるシュート板７１ａと後側通路形成体７Ｂとして配置されるシュート板７１ａは、互いに上下方向にずらして取付けられており、これにより、商品通路Ｒが蛇行して上下方向に延びるように形成されている。各シュート板７１ａの上端には、図６及び図７に示すように、曲げ加工を施すことにより幅方向（左右方向）に延びる円筒状に形成された連結部７ｃが設けられている。各シュート板７１ａは、連結部７ｃの円筒内に、左側板４１と右側板４２との間に架設された支軸７ｄが挿通されることにより、左側板４１と右側板４２との間に支軸７ｄを介して連結支持されている。また、通気孔７ａは、図７に示すように、各シュート板７１ａの互いに上下方向及び幅方向にずらした複数の箇所に開口されており、各通気孔７ａは、上下方向に長いスリット状に開口されている。なお、蛇行通路形成体７１における上下方向両端部におけるシュート板７１ａは、商品通路Ｒの通路長に合わせて上下方向に適宜の長さを有するように形成される。
【００４０】
下端通路形成体７２は、蛇行通路形成体７１の下端に連続して上下方向に延び通路形成体７の下端部を構成する所定長の部材である。ここで、商品搬出装置８の本体部は、第１コラム組４ａ，４ｂ、第２コラム組４ｃ，４ｄ及び第３コラム組４ｅ，４ｆのそれぞれの下端部における前後方向中央部に、上下方向に延びるように設けられており、下端通路形成体７２は、商品搬出装置８の前記本体部と協働して、商品通路Ｒの下端部を形成し、商品通路Ｒの下端部の通路幅（前後方向の通路幅）を規制している。
【００４１】
次に、上部開口部６ａ２の開口位置について、図３及び図４を参照して詳述する。
【００４２】
本実施形態において、上部開口部６ａ２の開口縁下端６ａ２１は、最後部の商品収納コラム４ｆの後側通路形成体７Ｂにおける下端通路形成体７２の上端に対応した高さ位置に位置している。
【００４３】
また、本実施形態においては、前述したように、冷却又は加熱対象の領域である商品収納装置４内の所定領域Ｅは、図２に示すように、商品収納装置４の下部側に設定するものとした。この所定領域Ｅの上端の高さ位置は、上部開口部６ａ２の開口縁上端６ａ２２の高さ位置により規定されている。つまり、所定領域Ｅの上端の高さ位置は開口縁上端６ａ２２の高さ位置に一致しており、開口縁上端６ａ２２の高さ位置を適宜に定めることにより、所定領域Ｅの上端の高さ位置が定まる。
【００４４】
また、本実施形態においては、上部開口部６ａ２は、図３に示すように、少なくとも最後部の商品収納コラム４ｆの後側通路形成体７Ｂにおける上下に隣接するシュート板７１ａの間の隙間Ｇに対応した部位に対向するように開口されている。言い換えると、上部開口部６ａ２は、少なくとも最後部の商品収納コラム４ｆの後側通路形成体７Ｂにおける蛇行通路形成体７１の商品通路Ｒ側に凹む凹部に対応した部位に対向するように開口されている。
【００４５】
かかる本実施形態による自動販売機１００によれば、背面ダクト６のダクト上部は上部壁６ｂにより閉塞されているため、背面ダクト６の上方の領域の空気の背面ダクト６内への吸込みを抑制することができる。そして、背面ダクト６のダクト上部を閉塞した替りに上部開口部６ａ２を商品収納庫１ａの後壁１ｃに対向して上下方向に延びるダクト壁６ａに開口させつつ、ダクト壁６ａを最後部の商品収納コラム４ｆにおける蛇行する商品通路Ｒを形成する一対の通路形成体７，７のうちの後側通路形成体７Ｂに近接又は当接させ、且つ、上部壁６ｂを後側通路形成体７Ｂの複数の凸部７ｂのうちのいずれか一つに対応した高さ位置に位置させている。このため、ダクト壁６ａにおける上部開口部６ａ２より上方の部位と後側通路形成体７Ｂとの間の領域の上部が、図３に示すように、後側通路形成体７Ｂの凸部７ｂにより略閉塞又は閉塞されて、背面ダクト６の上方の領域の空気の背面ダクト６内への吸込みをさらに抑制又は防止することができる。したがって、上部開口部６ａ２の開口の高さ位置に応じた商品収納装置４内の所定領域Ｅを冷却又は加熱する際に、所定領域Ｅより上方の空気が背面ダクト６内へ吸込まれることを確実に抑制又は防止することができる。そして、庫内温調装置１０から送風された空気の一部が冷却又は加熱の不要な領域を通過する空気流れの発生を抑制又は防止することができる。その結果、従来の自動販売機と比較すると余分な電力が消費されることを抑制でき、又は、余分な電力が消費されることを防止することができる。
【００４６】
このようにして、サーペンタイン方式の商品収納装置４内の所定領域Ｅを効率的に冷却又は加熱することが可能な自動販売機１００を提供することができる。
【００４７】
また、本実施形態では、背面ダクト６の上部開口部６ａ２の開口縁下端６ａ２１は、最後部の商品収納コラム４ｆの後側通路形成体７Ｂにおける下端通路形成体７２の上端に対応した高さ位置に位置している。これにより、容器入り飲料Ｄの搬出動作時以外のタイミングにおいて、容器入り飲料Ｄが位置していない商品搬出装置８の前記本体部と下端通路形成体７２との間の領域を避けるような空気流れを商品収納装置４内に形成することができ、その分、余分な電力が消費されることを抑制又は防止することができる。
【００４８】
本実施形態では、冷却又は加熱対象の領域である商品収納装置４内の所定領域Ｅは、図２に示すように、商品収納装置４の下部側に設定されている。これにより、商品収納装置４内に収納された複数の容器入り飲料Ｄのうちの下部側の容器入り飲料Ｄを冷却又は加熱する下部集中冷却運転又は下部集中加熱運転を実行することができる。
【００４９】
ここで、下部集中冷却運転又は下部集中加熱運転を実行した場合、商品収納装置４の下部領域が集中的に冷却又は加熱される。その結果、外気温度と商品収納庫１ａの下部領域における庫内温度との温度差は、外気温度と商品収納庫１ａの上部領域における庫内温度との温度差よりも高くなる。そして、外気温度と庫内温度との温度差が大きい領域においては、加熱運転においては、庫内から庫外への放熱が大きく、冷却運転においては、庫外から庫内への入熱が大きくなる。したがって、外気温度と庫内温度との温度差の大きい領域が狭いほど、効率的な運転が可能である。この点、本実施形態の自動販売機１００では、前述したように、庫内温調装置１０から送風された空気の一部が冷却又は加熱の不要な上部領域を通過する空気流れの発生を抑制又は防止することができるので、外気温度と庫内温度との温度差が大きい領域が上部領域にまで広がることを抑制又は防止することができる。その結果、外気温度と庫内温度との温度差が大きい領域を狭くすることができ、その分、余分な電力が消費されることを抑制又は防止することができる。
【００５０】
本実施形態では、冷却又は加熱対象の領域である商品収納装置４内の所定領域Ｅの上端の高さ位置は、上部開口部６ａ２の開口縁上端６ａ２２の高さ位置により規定されている。これにより、開口縁上端６ａ２２の高さ位置を適宜に定めることにより、冷却又は加熱対象の領域である商品収納装置４内の所定領域Ｅの上端の高さ位置を容易に定めることができる。
【００５１】
本実施形態では、背面ダクト６の上部開口部６ａ２は、少なくとも最後部の商品収納コラム４ｆの後側通路形成体７Ｂにおける上下に隣接するシュート板７１ａの間の隙間Ｇに対応した部位に対向するように開口されている。これにより、この隙間Ｇを介して、商品収納庫１ａ内の空気を効率的に吸込むことができる。
【００５２】
なお、本実施形態では、背面ダクト６の上部開口部６ａ２は、単に、ダクト壁６ａに開口され、その開口面積が固定されているものとしたが、これに限らず、ダクト壁６ａの上部開口部６ａ２の開度を調整する開度調整部９をさらに備えて構成してもよい。開度調整部９は、例えば、図８に示すように、上部壁６ｂを貫通してダクト壁６ａの背面（後側の面）に沿って上下方向にスライド移動すると共に、上部開口部６ａ２の一部を塞ぐように配置される。これにより、開度調整部９のスライド移動に応じて、上部開口部６ａ２の開口面積を変更することができる。この場合、上部開口部６ａ２の開口縁上端６ａ２２は、開度調整部９の下端部に相当し、開度調整部９を適宜にスライド移動させることにより、所定領域Ｅの上端の高さ位置を調整することができる。また、開度調整部９は、上部開口部６ａ２の上端側からスライド移動する場合に限らず、上部開口部６ａ２の下端側からスライド移動するように配置してもよい。これらのように、上部開口部６ａ２の開口面積を可変に構成した場合、例えば、さらに、庫内送風ファン１１の回転数を可変可能に構成し、上部開口部６ａ２の開口面積を比較的に小さくするほど、庫内送風ファン１１の回転数を下げて、循環する空気の流速を下げるとよい。これにより、循環する空気と冷媒との熱交換や、循環する空気と容器入り飲料Ｄとの熱交換を確実に促進させることができる。なお、開度調整部９は、手動でスライド移動するように構成してもよいし、開度調整部９をスライド移動させる駆動部を設けて駆動部を介して自動でスライド移動するように構成してもよい。自動でスライド移動させる場合には、例えば、図示を省略した制御部からの指令に基づいて、庫内送風ファン１１の回転数と連動して開度調整部９の開口面積を調整するように構成するとよい。
【００５３】
本実施形態では、背面ダクト６の上部開口部６ａ２は、図４に示したように、平面視で矩形状に大きく開口された一つの開口からなるものとしたが、これに限らない。例えば、図９に示すように、上部開口部６ａ２は、互いに左右方向及び上下方向にずらした複数個所に開口された複数のスリットＳからなるものとしてもよい。この場合、複数のスリットＳのうちの最下端のスリットＳにおける開口縁下端が、上部開口部６ａ２の開口縁下端６ａ２１に相当し、複数のスリットＳのうちの最上端のスリットＳにおける開口縁上端が、上部開口部６ａ２の開口縁上端６ａ２２に相当する。
【００５４】
本実施形態では、冷却又は加熱対象の領域である商品収納装置４内の所定領域Ｅは、商品収納装置４の下部側に設定されている場合を一例に挙げて説明したが、これに限らない。例えば、商品収納装置４の下端から蛇行した商品通路Ｒの上端の高さ位置までを所定領域Ｅとして設定し、商品収納装置４のうちの略全体を冷却又は加熱するように構成してもよい。この場合、背面ダクト６の上部壁６ｂは、最後部の商品収納コラム４ｆの後側通路形成体７Ｂにおけるダクト壁６ａ側に突出した複数の凸部のうちの最上部の凸部７ｂに対応した高さ位置に位置させる。そして、上部開口部６ａ２の開口縁上端６ａ２２の高さ位置は所定領域Ｅの上端の高さ位置に合わせる。上部開口部６ａ２の開口縁下端６ａ２１の高さ位置については、上部開口部６ａ２の必要とする開口面積に応じて定める。
【００５５】
本実施形態では、庫内送風ファン１１は商品収納装置４側に向けて空気を送風し、背面ダクト６の上部開口部６ａ２を空気の吸込み口として機能させたが、これに限らず、庫内送風ファン１１は背面ダクト６に向けて空気を送風し、上部開口部６ａ２を空気の吐出口として機能させてもよい。この場合、空気は、図２に太線矢印で示した循環方向と逆回りに循環し、背面ダクト６の上部開口部６ａ２から商品収納装置４側に空気が吐出される。ダクト壁６ａにおける上部開口部６ａ２より上方の部位と後側通路形成体７Ｂとの間の領域の上部は、後側通路形成体７Ｂの凸部７ｂにより略閉塞又は閉塞されているため、上部開口部６ａ２から吐出された空気の一部が背面ダクト６の上方の領域を通過する空気流れが発生することを抑制又は防止することができる。その結果、空気の循環方向を逆転させて、上部開口部６ａ２を空気の吐出口として機能させたとしても、上部開口部６ａ２を空気の吸込み口として機能させた場合と同様の作用効果を奏することができる。
【００５６】
本実施形態では、温調装置３０は、冷却運転と加熱運転とを選択的に実行可能である場合を一例に挙げて説明したが、これに限らず、冷却運転のみ、又は、加熱運転のみを実行する構成であってもよい。また、加熱運転は、ヒータ１３に限らず、ヒートポンプ運転により実行してもよい。この場合、例えば、図２に示す庫内熱交換器（蒸発器）１２を機械室１ｂに配置して庫外熱交換器として機能させると共に、図２に示す庫外熱交換器（凝縮器）２２を商品収納庫１ａのケーシング１４内に配置して庫内熱交換器として機能させればよい。
【００５７】
本実施形態では、容器入り飲料Ｄを商品とする自動販売機を対象としているが、本発明は、容器入り飲料Ｄ以外の商品を冷却又は加熱して販売する自動販売機にも適用可能である。
【００５８】
以上、本発明の実施形態及びその変形例について説明したが、本発明は上述の実施形態や変形例に限定されるものではなく、本発明の技術的思想に基づいて更なる変形や変更が可能であることはもちろんである。
【符号の説明】
【００５９】
１ａ…商品収納庫（断熱庫）
１ｃ…後壁
４…商品収納装置
４ａ〜４ｆ…商品収納コラム
６…背面ダクト（ダクト）
６ａ…ダクト壁
６ｂ…上部壁
６ａ１…下部開口部
６ａ２…上部開口部
６ａ２１…開口縁下端
６ａ２２…開口縁上端
７，７…一対の通路形成体
７ａ…通気孔
７ｂ…凸部
７Ｂ…後側通路形成体
９…開度調整部
１０…庫内温調装置
７１…蛇行通路形成体
７１ａ…シュート板
７２…下端通路形成体
１００…自動販売機
Ｄ…容器入り飲料（商品）
Ｅ…所定領域
Ｇ…隙間
Ｒ…商品通路
【図１】
2018206156.tif 000003
【図２】
2018206156.tif 000004
【図３】
2018206156.tif 000005
【図４】
2018206156.tif 000006
【図５】
2018206156.tif 000007
【図６】
2018206156.tif 000008
【図７】
2018206156.tif 000009
【図８】
2018206156.tif 000010
【図９】
2018206156.tif 000011